(57)【要約】      （修正有）【課題】火袋が重畳状態にあり、外観を時や状況に応じて変えることができる汎用性の高い重畳火袋装飾灯を提供する。【解決手段】重畳火袋装飾灯は、光源１ａを内包する長筒状をなして立設された内側火袋３Ａと、この内側火袋３Ａの上部位を覆う短筒状をなした外側火袋３Ｂとを有する。内側火袋３Ａは軸体１ｂで支えられて台座から起立する逆Ｕ字形の支持柱４により筒状に保形して立設され、この内側火袋３Ａの頂部が開口し、その開口わっぱから下端部のフック部４Ｂを介して台座に係止された支持柱４の逆Ｕ字状頭部７が把手として突出している。この頭部７と支持柱４の胴部８との境界部が肩状に成形され、この肩状成形部９に内側火袋３Ａが乗載されるとともに外側火袋３Ｂもその装飾的上わっぱを介して内側火袋３Ａの針金製上わっぱに乗載して支持されている。【選択図】図２
0003228935.tif 000002
【実用新案登録請求の範囲】
【請求項１】
光源を装備した発光部を軸体で支えて固定した台座上に火袋を取り付けた装飾灯において、
前記光源を内包する長筒状をなして立設された内側火袋と、該内側火袋の上部位を覆う短筒状をなした外側火袋とを有し、
前記内側火袋は前記軸体で支えられて前記台座から起立する逆Ｕ字形の支持柱により筒状に保形して立設され、該内側火袋の頂部が開口し、該開口わっぱから下端部のフック部を介して前記台座に係止された前記支持柱の逆Ｕ字状頭部が把手として突出しており、該頭部と支持柱の胴部との境界部が肩状に成形され、該肩状成形部に前記内側火袋が乗載されるとともに前記外側火袋もその装飾的上わっぱを介して内側火袋の針金製上わっぱに乗載して支持されており、該外側火袋の針金製下わっぱが前記内側火袋の胴部に接触しない程度に前記内側火袋の胴部のうちの上半部を被覆していることを特徴とする重畳火袋装飾灯。
【請求項２】
前記外側火袋は２以上準備され、一の外側火袋は初盆用の白色無地であり、他は模様の施された装飾地であることを特徴とする請求項１に記載された装飾灯。
【請求項３】
前記外側火袋を使用しない場合は、前記内側火袋のみとしておくことを特徴とする請求項１または請求項２に記載された装飾灯。
【請求項４】
前記支持柱の基部には前記軸体に固定するための螺着部が設けられ、該螺着部を介して支持柱を上下させることができるようにしたことを特徴とする請求項１ないし請求項３のいずれか一項に記載された装飾灯。
【請求項５】
前記内側火袋の針金製下わっぱに感磁体が取り付けられ、前記台座上の数か所に固定された磁石の誘引力によって前記内側火袋が長筒状に保形され、前記台座上の磁石のない箇所に残存隙間が確保されて、放熱用エアの流入が図られていることを特徴とする請求項１ないし請求項４のいずれか一項に記載された装飾灯。
いる
【請求項６】
前記外側火袋には少なくとも２種の花柄模様の装飾が前半面と後半面に施されていることを特徴とする請求項１ないし請求項５のいずれか一項に記載された装飾灯。
【考案の詳細な説明】
【技術分野】
【０００１】
本考案は重畳型火袋装飾灯に係り、詳しくは火袋が重畳状態にあって外観を状況に応じて変えることができる仏事や日常の別なく汎用性の高い提灯式の装飾灯に関するものである。
【背景技術】
【０００２】
近年、住宅事情等の理由から仏壇の小型化が進んでおり、タンスなどの家具の上に設置できるコンパクトな仏壇が普及している。通常、法事等の際には、仏壇の前には提灯や行灯等の灯りが灯されるが、このようなコンパクトな仏壇を設置している場所では仏壇の前に提灯や行灯等を置くことが困難な場合がある。そのような課題を解決するために、特許文献１，２のような提案がなされている。
【０００３】
特許文献１では、仏壇の天板下の支輪部分に設けられた挿入孔に対して提灯掛けを引き出し自在に挿入し、その提灯掛けに提灯を掛けることが提案されている。
【０００４】
また、特許文献２は、火袋を設置する下台と吊り下げ支柱とを備え、吊り下げ支柱で下台を支承し、吊り下げ支柱の上部に仏壇の扉に掛ける吊り下げ具を備えた仏壇用照明装置を提案している。
【先行技術文献】
【特許文献】
【０００５】
【特許文献１】特開２０１５−１１２３０９号公報
【特許文献２】特開２０１７−１１３０９７号公報
【考案の概要】
【考案が解決しようとする課題】
【０００６】
上で開示された提灯は最近の傾向の一つであるが、従前からは図１２に示すような盆提灯６０が一般的である。それに代えて簡素化させる傾向も根づよくなってきている。仏壇の横もしくは脇に静置される提灯であっては、盆提灯はその代表的なものであるが、この提灯は年中置かれるものでなく、法要時や特定の時期に仏壇の雰囲気を和らげる飾りとしての灯明とするのが一般的であり、またその他の目的でも用いられる。しかし、保管状態から使用するまでの組み立てなどに手間を伴う。一方、常時設置しておくには埃とりなど清掃作業が要求される。
【０００７】
提灯は元来装飾的な意味合いで目を楽しませるものでもある。もし、提灯が仏事のみならず汎用させることができれば、また、年中を通じて楽しませるものになっていれば、仏に対しても愛着が増すというものである。しかも、提灯の機能を保ったまま、外観もしくは形態に変化を持たすことができれば、仏壇の露払い的なお役目も華やかなものとなり、次の仏事の訪れが待ち遠しくもなる。上記とは逆に、保管するにあたっても手間が少なく嵩張らない分解もしくは解体の利便性の高いことも望まれる。
【０００８】
このような世の願いを満たせる提灯もしくは装飾灯の出現が待ち焦がれていることに鑑み本考案はなされたものであって、火袋が重畳状態にあり、外観を時や状況に応じて変えることができる汎用性の高い装飾用提灯を提供することを本考案の目的とする。
【課題を解決するための手段】
【０００９】
本考案は、図１および図２を主とし参照して、光源１aを装備した発光部１を軸体１ｂで支えて固定した台座２上に火袋を取り付けた装飾灯に適用される。
これは、光源１aを内包する長筒状をなして立設された内側火袋３Ａと、この内側火袋３Ａの上部位を覆う短筒状をなした外側火袋３Ｂとを有する。内側火袋３Ａは軸体１ｂで支えられて台座２から起立する逆Ｕ字形の支持柱４により筒状に保形して立設され、この内側火袋３Ａの頂部が開口し、その開口わっぱ５Ａ（図３を参照）から下端部のフック部４Ｂを介して台座２に係止された支持柱４の逆Ｕ字状頭部７が把手として突出している。この頭部と支持柱４の胴部８との境界部が肩状に成形され、この肩状成形部９に内側火袋３Ａが乗載されるとともに外側火袋３Ｂもその装飾的上わっぱ６Ａ（図５を参照）を介して内側火袋３Ａの針金製上わっぱ５Ａに乗載して支持されている。この外側火袋３Ｂの針金製下わっぱ６Ｂ（図６を参照）が内側火袋３Ａの胴部８に接触しない程度に内側火袋３Ａの胴部８のうちの上半部を被覆し、この外側火袋３Ｂからは内側火袋３Ａからの透光より減光された弱い光が漏れるようにしていることである。
【００１０】
図２にあるように、外側火袋３Ｂは２以上準備され、一の外側火袋３Ｂは初盆用の白色無地であり、他は模様の施された装飾地としておくことができる（図は少々判然としないが）。
【００１１】
図４に示すように、外側火袋３Ｂを使用しない場合は、内側火袋３Ａのみのとしておく。
【００１２】
図２を参照して、支持柱４の基部には軸体１ｂに固定するための螺着部２２が設けられ、この螺着部を介して支持柱４を上下させることができるようにしておく。
【００１３】
図８にあるように、内側火袋３Ａの針金製下わっぱ５Ｂに感磁体５２が取り付けられ、台座２上の数か所に固定された磁石５４の誘引力によって内側火袋３Ａが長筒状に保形されていることである。
【００１４】
図示しないが、外側火袋３Ｂには少なくとも２種の花柄模様の装飾が前半面と後半面に施しておくこともできる。
【考案の効果】
【００１５】
本考案は、光源を内包する長筒状をなして立設された内側火袋と、この内側火袋の上部位を覆う短筒状をなした外側火袋とを有しているので、その組み合わせもしくは単独にしておくことができる。内側火袋は軸体で支えられて台座から起立する逆Ｕ字形の支持柱により筒状に保形して立設され、提灯として趣向の異なる雰囲気を呈する。
【００１６】
内側火袋の頂部が開口し、その開口わっぱから下端部のフック部を介して台座に係止された支持柱の逆Ｕ字状頭部が把手として突出しており、内側火袋の支持柱に対する取り付けが容易となっている。逆Ｕ字状頭部と支持柱の胴部との境界部が肩状に成形され、この肩状成形部に内側火袋が乗載されるとともに外側火袋もその装飾的上わっぱを介して内側火袋の針金製上わっぱに乗載して支持しておくことができる。
【００１７】
外側火袋の針金製下わっぱが内側火袋の胴部に接触しない程度に内側火袋の胴部のうちの上半部を被覆することが、この外側火袋からは内側火袋からの透光より減光された弱い光が漏れるようになる。
【００１８】
外側火袋は２以上準備され、一の外側火袋は初盆用の白色無地であり、他は模様の施された装飾地としておけば、外側火袋を交換することにしているので、仏壇前置き盆提灯として、初盆以外やその他の時期には装飾提灯として使用することができる。
【００１９】
外側火袋を使用しない場合は、内側火袋のみのたて長提灯としておけば、違った趣向を凝らすことができる。
【００２０】
支持柱の基部には軸体に固定するための螺着部が設けられているので、この螺着部を介して支持柱を上下させることができるようになる。内側火袋並びに外側火袋を上下させ、両火袋を光源に対して位置を変えることができ都合がよい。光源の発光部を外側火袋の下縁にかかる位置とすれば、発光が一箇所でありながら二つの火袋から灯りが漏れるようにしておくことができる。
【００２１】
内側火袋の針金製下わっぱに感磁体が取り付けられ、台座上の数か所に固定された磁石の誘引力によって内側火袋が長筒状に保形される。台座上の磁石のない箇所に残存隙間が確保され、放熱用エアの流入が図られる。
【００２２】
外側火袋には少なくとも種の花柄模様の装飾が前半面と後半面に施され、外側火袋は肩部へ前と後を逆に乗載すれば、季節に応じた装飾を楽しむことができる。
【図面の簡単な説明】
【００２３】
【図１】本考案に係る重畳型火袋装飾灯の一例の全体外観図。
【図２】重畳型火袋装飾灯の内部構成および折りたたまれた火袋の外観図。
【図３】内側火袋の上部斜視図。
【図４】適度な上下方向の張りを持たせた内側火袋の全体図。
【図５】重畳型火袋装飾灯を見下ろした斜視図。
【図６】重畳型火袋装飾灯の正面図。
【図７】内部構成の下半図。
【図８】内側火袋の内部を覗く見下ろし図。
【図９】重畳型火袋装飾灯の最下部正面図。
【図１０】重畳型火袋装飾灯と卓上式仏壇との一コラボレーション例。
【図１１】外側火袋を有しない装飾灯と卓上式仏壇との一コラボレーション例。
【図１２】盆提灯の代表的従来例の全体図。
【考案を実施するための形態】
【００２４】
以下に図面を用いて、本考案に係る重畳型火袋装飾灯の実施の形態を詳細に説明する。
重畳型火袋装飾灯の一実施態様の外観構成は、図１に示すように通常の提灯に比べれば特異な重層火袋形態灯５０をなす。その内部は、図２に示すように、光源１aを装備した発光部1を軸体１ｂで支えて固定した台座２（図１を参照）上に火袋３を取り付けた構成であり、装飾灯は、一瞥すると、発光部1（図２を参照）を内包する長筒状をなして立設された内側火袋３Ａ（図１を参照）と、この内側火袋の上部位を覆う短筒状をなした外側火袋３Ｂとを有する。
【００２５】
図３に示す内側火袋３Ａは図２に示す軸体１ｂで支えられて台座２から起立する逆Ｕ字形の支持柱４により筒状に保形して立設される（図４を参照）。この内側火袋３Ａの頂部が開口し（図３を参照）、この針金製開口わっぱ５Ａから下端部のフック部４Ｂ（図２を参照）を介して台座２に係止された支持柱４の逆Ｕ字状頭部７が把手として突出している。
【００２６】
図２に示すように、この頭部７と支持柱４の胴部８との境界部が肩状に成形され、この肩状成形部９に内側火袋３Ａが図３のように中央割れ２本針金製ブリッジ４４を介して乗載されるとともに、外側火袋３Ｂもその装飾的上わっぱ６Ａを介して内側火袋３Ａの針金製上わっぱ５Ａに乗載して支持されている（図５を参照）。この外側火袋３Ｂの針金製下わっぱ６Ｂ（図６を参照）が内側火袋３Ａの胴部８に接触しない程度に内側火袋３Ａの胴部のうちの上半部を被覆し、この外側火袋３Ｂからは内側火袋３Ａからの透光より減光された弱い光が漏れるようにしている（図１を参照）。この具体的な実例は図１０や図１１からも伺い知ることができとおりである。飾りとしての灯明とするのが一般的である。またその他の目的でも用いられる。保管状態から使用するまでの組み立てなどに手間を要しない。一方、常時設置しておくにしても埃とりなど清掃作業が簡単である。一方、保管するにあたっても手間が少なく嵩張らない。分解もしくは解体の利便性も高い。
【００２７】
図２に示すように、外側火袋３Ｂは２以上準備され（図では折りたたまれている）、一の外側火袋３Ｂaは初盆用の白色無地であり、他３Ｂbは模様の施された装飾地であり、外側火袋３Ｂを交換することにより、仏壇前置き盆提灯として、初盆以外やその他の時期には装飾提灯として使用することができる。もちろん、白色無地の火袋といっても、適度に色彩を抑えた柄もしくは透かし模様などが施される。装飾地の火袋には好みにあった花鳥風月が描かれたりしたもする。
【００２８】
外側火袋３Ｂを使用しない場合は、図４に示すように内側火袋３Ａのみのたて長提灯としておくことができるのは図１１でも示した。
【００２９】
図７に示すように、前記支持柱４の基部には前記軸体１ｂに固定するための螺着部２２が設けられ、該螺着部の上下２つのナットを介して支持柱４を上下させる固定することができ、これにより内側火袋３Ａ並びに外側火袋３Ｂを上下させ、両火袋を光源１に対して位置を変え、光源１aの発光部１を外側火袋３Ｂの下縁にかかる位置とされ、発光が１箇所でありながら２つの火袋から灯りが漏れるようにしている。
【００３０】
内側火袋３Ａの針金製下わっぱ５Ｂには、図８に示すように感磁体５２がろう付けなどにより取り付けられ、台座２上の数か所に形成された磁石収容台５３に固定した磁石５４の誘引力によって内側火袋３Ａが長筒状に保形され（図4を参照）、台座２上の磁石のない箇所に残存隙間５５が確保されて、放熱用エアの流入が図られている（図9を参照）。
【００３１】
特に図示しないが、外側火袋３Ｂには少なくとも２種の花柄模様の装飾が前半面と後半面に施され、外側火袋３Ｂは前記肩部へ前と後を逆に乗載すれば、季節に応じた装飾を楽しむことができる。仏壇の前に設置された芯灯のみの例は図１０のごとくであり。重畳型形態とした場合の例は図１1のごとくであり、いずれも、仏壇が呈する湿っぽい雰囲気はやわらげられる。
【符号の説明】
【００３２】
１：発光部  １a：光源  １ｂ：軸体  ２：台座  ３Ａ  ３Ａa：火袋内側火袋  ３Ｂ  ３Ｂb：外側火袋  ４：支持柱  ４Ｂ：フック部  ５Ａ：針金製開口わっぱ  ５Ｂ：針金製下わっぱ  ６Ａ：上わっぱ  ６Ｂ：針金製下わっぱ  ７：逆Ｕ字状頭部  ８：胴部  ９：肩状成形部  ２２：螺着部  ４４：針金製ブリッジ  ５０：重層火袋形態灯  ５２：感磁体  ５３：磁石収容台  ５：４磁石  ５５：残存隙間。
【図１】
0003228935.tif 000003
【図２】
0003228935.tif 000004
【図３】
0003228935.tif 000005
【図４】
0003228935.tif 000006
【図５】
0003228935.tif 000007
【図６】
0003228935.tif 000008
【図７】
0003228935.tif 000009
【図８】
0003228935.tif 000010
【図９】
0003228935.tif 000011
【図１０】
0003228935.tif 000012
【図１１】
0003228935.tif 000013
【図１２】
0003228935.tif 000014
【手続補正書】
【提出日】令和2年8月14日(2020.8.14)
【手続補正１】
【補正対象書類名】実用新案登録請求の範囲
【補正対象項目名】請求項５
【補正方法】変更
【補正の内容】
【請求項５】
前記内側火袋の針金製下わっぱに感磁体が取り付けられ、前記台座上の数か所に固定された磁石の誘引力によって前記内側火袋が長筒状に保形され、前記台座上の磁石のない箇所に残存隙間が確保されて、放熱用エアの流入が図られていることを特徴とする請求項１ないし請求項４のいずれか一項に記載された装飾灯。